(57)【特許請求の範囲】
【請求項１】
少なくとも１つの陽極側電極および少なくとも１つの陰極側電極を用いて、被測定体のインピーダンスを測定するインピーダンス測定装置であって、
前記被測定体に対向する所定の対向面を有し、当該対向面から外方に向けて突出するように前記少なくとも１つの陽極側電極および前記少なくとも１つの陰極側電極がそれぞれ取り付けられた電極取り付け部と、
前記電極取り付け部の前記対向面とは反対側に延出された把持部と、を備え、
前記把持部の延出方向に垂直かつ前記対向面に平行な断面の面積が当該断面に平行な前記電極取り付け部の断面の面積より小さい、インピーダンス測定装置。
【請求項２】
少なくとも１つの陽極側電極および少なくとも１つの陰極側電極を用いて、被測定体のインピーダンスを測定するインピーダンス測定装置であって、
前記被測定体に対向する所定の対向面を有し、当該対向面から外方に向けて突出するように前記少なくとも１つの陽極側電極および前記少なくとも１つの陰極側電極がそれぞれ取り付けられた電極取り付け部と、
前記電極取り付け部の前記対向面とは反対側に延出された把持部と、
前記把持部の前記電極取り付け部が設けられた端部とは反対側の端部に設けられ、前記把持部の延出方向に垂直な断面の面積より大きい面積の断面を有する幅広部と、を備え、
前記把持部の延出方向に垂直な断面の面積が当該断面に平行な前記電極取り付け部の断面の面積より小さく、
前記幅広部には前記測定の状態を表示するための表示部が設けられる、インピーダンス測定装置。
【請求項３】
少なくとも１つの陽極側電極および少なくとも１つの陰極側電極を用いて、被測定体のインピーダンスを測定するインピーダンス測定装置であって、
前記被測定体に対向する所定の対向面を有し、当該対向面から外方に向けて突出するように前記少なくとも１つの陽極側電極および前記少なくとも１つの陰極側電極がそれぞれ取り付けられた電極取り付け部と、
前記電極取り付け部の前記対向面とは反対側に延出された把持部と、を備え、
前記把持部の延出方向に垂直な断面の面積が当該断面に平行な前記電極取り付け部の断面の面積より小さく、
前記電極取り付け部は、前記対向面に取り付けられた前記少なくとも１つの陽極側電極および前記少なくとも１つの陰極側電極にそれぞれ導通可能な同じ数の電極が取り付けられた電極アタッチメントを着脱可能に構成され、
前記電極アタッチメントに取り付けられた電極間の距離は、前記対向面に取り付けられた電極間の距離と異なるように構成された、インピーダンス測定装置。
【請求項４】
前記電極取り付け部は、前記少なくとも１つの陽極側電極および前記少なくとも１つの陰極側電極が直線状に配列され、
前記電極取り付け部の外部形状は、前記少なくとも１つの陽極側電極および前記少なくとも１つの陰極側電極の配列方向に沿った幅が前記把持部の前記配列方向に沿った幅より大きいように形成される、請求項１から３の何れかに記載のインピーダンス測定装置。
【請求項５】
前記把持部の外側面と、前記電極取り付け部の外側面とを接続する接続面を備え、前記接続面が前記把持部を把持した手により押圧されることで前記対向面に設けられた電極が前記被測定体に接触するように構成される、請求項１から４の何れかに記載のインピーダンス測定装置。
【請求項６】
前記測定の状態を表示する表示面を有する表示部を備え、
前記表示部は、前記表示面が前記把持部に対して後傾するように、前記把持部に対して曲折するように設けられる、請求項１から５の何れかに記載のインピーダンス測定装置。
【請求項７】
前記表示部は、前記表示面の下方に設けられ、測定を開始するための測定開始ボタンを有する、請求項６に記載のインピーダンス測定装置。
【請求項８】
前記インピーダンス測定装置全体の重心位置が、装置全体の長さ方向中央部より前記電極取り付け部側に位置するように構成された、請求項６または７に記載のインピーダンス測定装置。
【発明の詳細な説明】
【技術分野】
【０００１】
本発明は、被測定体のインピーダンスを測定するインピーダンス測定装置に関する。
【背景技術】
【０００２】
後掲の特許文献１は、上記インピーダンス測定装置の一例を開示している。特許文献１に記載のペット用体脂肪測定具は、本体部と、本体部の下部から下方へ垂下する複数の電極体とを備えている。複数の電極体は、２個の電圧用電極と、２個の電流用電極から構成されている。
【先行技術文献】
【特許文献】
【０００３】
【特許文献１】特開２００８−１４９０１６号公報
【発明の概要】
【発明が解決しようとする課題】
【０００４】
上記ペット用体脂肪測定具においては、例えば、犬の体脂肪を測定するとき、測定者は、当該装置の本体部を手で保持した状態で、本体部下部の電極体を犬の所定部位の皮膚（体表面）に押し当てる。
【０００５】
しかしながら、上記特許文献１の図７に示されるように、測定者は、親指と親指以外の指（図７中では、３本の指）とで挟むようにして本体部を保持するため、電極体を犬の体表面に押し当てる際に、当該本体部が不安定に横揺れするなどの挙動を起こすおそれがある。
【０００６】
以上のことから、上記ペット用体脂肪測定具（インピーダンス測定装置）においては、被測定体に電極体を適切に押し当てることが容易でないため、正確な測定を迅速に行うことが難しい。
【０００７】
本発明は、上記課題を解決するため、被測定体に電極体を容易かつ適切に押し当てることが可能なインピーダンス測定装置を提供することを目的とする。
【課題を解決するための手段】
【０００８】
上記課題を解決するため、本発明の一態様に係るインピーダンス測定装置は、少なくとも１つの陽極側電極および少なくとも１つの陰極側電極を用いて、被測定体のインピーダンスを測定するインピーダンス測定装置であって、被測定体に対向する所定の対向面を有し、当該対向面から外方に向けて突出するように少なくとも１つの陽極側電極および少なくとも１つの陰極側電極がそれぞれ取り付けられた電極取り付け部と、電極取り付け部の対向面とは反対側に延出された把持部と、を備え、把持部の延出方向に垂直な断面の面積が当該断面に平行な電極取り付け部の断面の面積より小さいものである。
【０００９】
上記構成によれば、把持部に対して電極取り付け部が太く形成されるため、把持部を把持して電極を被測定体に当接させた場合に、把持部を把持した手の力を電極取り付け部の対向面を被測定体へ向けて押す力として用いることができるため、把持部を片手で握った場合であっても、電極の被測定体への接触性を高めることができる。
【００１０】
電極取り付け部は、少なくとも１つの陽極側電極および少なくとも１つの陰極側電極が直線状に配列され、電極取り付け部の外部形状は、少なくとも１つの陽極側電極および少なくとも１つの陰極側電極の配列方向に沿った幅が把持部の配列方向に沿った幅より大きいように形成されてもよい。これによれば、対向面に取り付けられた電極のうち、配列方向の両端部にある電極にも把持部を把持した手の力を有効に及ぼすことができるので、複数の電極に対して偏った力が作用することを防止しつつ均等に電極を被測定体に押し当てることができる。
【００１１】
把持部の外側面と、電極取り付け部の外側面とを接続する接続面を備え、接続面が把持部を把持した手により押圧されることで対向面に設けられた電極が被測定体に接触するように構成されてもよい。これにより、接続面に把持部を把持した手が接触することにより、把持部を把持した手の力を電極取り付け部に有効に作用させることができる。
【００１２】
把持部の電極取り付け部が設けられた端部とは反対側の端部に設けられ、把持部の延出方向に垂直な断面の面積より大きい面積の断面を有する幅広部を備えてもよい。これにより、把持部の延出方向両側が把持部より太く形成されるため、把持部を把持した際に、装置を誤って落下させることを防止することができる。
【００１３】
幅広部には測定の状態を表示するための表示部が設けられてもよい。これによれば、測定時において見易い位置に表示部を設けることができる。
【００１４】
測定の状態を表示する表示面を有する表示部を備え、表示部は、表示面が把持部に対して後傾するように、把持部に対して曲折するように設けられてもよい。これによれば、測定時において表示部を見易くすることができる。
【００１５】
表示部は、表示面の下方に設けられ、測定を開始するための測定開始ボタンを有してもよい。これによれば、把持部を片手で握るように把持した際に、親指で操作しやすい位置に測定開始ボタンを配置することができるため、装置の被測定体への押し当て動作に引き続いて測定開始ボタンの押圧操作を行うことを容易に行うことができる。したがって、安定的かつ迅速に測定を行うことができる。
【００１６】
インピーダンス測定装置全体の重心位置が、装置全体の長さ方向中央部より電極取り付け部側に位置するように構成されてもよい。これによれば、電極取り付け部側に重心が位置することにより測定時の姿勢を安定化させることができる。また、装置を誤って落下させた場合でも、電極取り付け部側から落下するため、表示部を傷付けたり破損させたりすることを防止することができる。
【００１７】
電極取り付け部は、対向面に取り付けられた少なくとも１つの陽極側電極および少なくとも１つの陰極側電極にそれぞれ導通可能な同じ数の電極が取り付けられた電極アタッチメントを着脱可能に構成され、電極アタッチメントに取り付けられた電極間の距離は、対向面に取り付けられた電極間の距離と異なるように構成されてもよい。これによれば、可動部を設けることなく電極間距離を変化させることができるため、様々な大きさまたは形状の被測定体に対して有効な測定を行いつつ、防水性または耐久性を高めることができる。
【発明の効果】
【００１８】
本発明は、被測定体に電極体を容易かつ適切に押し当てることが可能なインピーダンス測定装置を提供する。
【図面の簡単な説明】
【００１９】
【図１】図１は、本発明の一実施形態である魚の品質指標測定装置の外観を示す斜視図である。
【図２】図２は、図１に示す魚の品質指標測定装置の外観を示す正面図である。
【図３】図３は、図１に示す魚の品質指標測定装置の外観を示す背面図である。
【図４】図４は、図１に示す魚の品質指標測定装置の測定状態を示す左側面図である。
【図５】図５は、図１に示す魚の品質指標測定装置とそれに装着される電極アタッチメントの外観を示す斜視図である。
【図６】図６は、図５に示す魚の品質指標測定装置に電極アタッチメントが装着された状態の外観を示す斜視図である。
【図７】図７は、図６における状態の正面図である。
【図８】図８は、図５に示す電極アタッチメントの内部構造を示す上面図である。
【図９】図９は、図５に示す魚の品質指標測定装置の電極アタッチメントの有無に応じた測定可能深さを示す正面図である。図９（ａ）は電極アタッチメントが装着されていない状態を示し、図９（ｂ）は電極アタッチメントが装着されている状態を示す。
【図１０Ａ】図１０Ａは、図１に示す魚の品質指標測定装置のある態様を例示する正面図である。
【図１０Ｂ】図１０Ｂは、図１０Ａに示す魚の品質指標測定装置の背面図である。
【図１０Ｃ】図１０Ｃは、図１０Ａに示す魚の品質指標測定装置の平面図である。
【図１０Ｄ】図１０Ｄは、図１０Ａに示す魚の品質指標測定装置の底面図である。
【図１０Ｅ】図１０Ｅは、図１０Ａに示す魚の品質指標測定装置の左側面図である。
【図１０Ｆ】図１０Ｆは、図１０Ａに示す魚の品質指標測定装置の右側面図である。
【図１０Ｇ】図１０Ｇは、図１０Ａに示す魚の品質指標測定装置の斜視図である。
【図１０Ｈ】図１０Ｈは、図１０Ａに示す魚の品質指標測定装置の参考正面図である。
【図１１】図１１のＡ１は、本発明の他の実施形態の一例を示した概略図（正面図）であり、図１１のＡ２は、図１１のＡ１の側面図である。また、図１１のＢ１は、図１１のＡ１とは異なる本発明の他の実施形態の一例を示した概略図（正面図）であり、図１１のＢ２は、図１１のＢ１の側面図である。
【図１２】図１２のＡ１は、本発明の他の実施形態の一例を示した概略図（正面図）であり、図１２のＡ２は、図１２のＡ１の側面図である。また、図１２のＢ１は、図１２のＡ１とは異なる本発明の他の実施形態の一例を示した概略図（正面図）であり、図１２のＢ２は、図１２のＢ１の側面図である。
【図１３】図１３のＡ１は、本発明の他の実施形態の一例を示した概略図（正面図）であり、図１３のＡ２は、図１３のＡ１の側面図である。また、図１３のＢ１は、図１３のＡ１とは異なる本発明の他の実施形態の一例を示した概略図（正面図）であり、図１３のＢ２は、図１３のＢ１の側面図である。
【発明を実施するための形態】
【００２０】
以下、本発明の実施の形態におけるインピーダンス測定装置を用いた魚の品質状態判定装置の具体的な構成例について、図面を参照しながら説明する。なお、以下では全ての図面を通じて同一または相当する要素には同一の参照符号を付して、その重複する説明を省略する場合がある。また、以下の具体的な説明は、本発明におけるインピーダンス測定装置の特徴を例示しているに過ぎない。例えば、上記インピーダンス測定装置を特定した用語と同じ用語または相当する用語に適宜の参照符号を付して以下の具体例を説明する場合、当該具体的な構成要素は、これに対応する上記インピーダンス測定装置の構成要素の一例である。したがって、上記インピーダンス測定装置の特徴は、以下の具体的な説明によって限定されない。
【００２１】
図１〜図３に示すように、魚の品質指標測定装置（以下、単に測定装置ともいう）１は、少なくとも１つの陽極側電極２ｐおよび少なくとも１つの陰極側電極２ｎが下方に突出するように構成されている。具体的には、測定装置１は、２つの陽極側電極２ｐ１，２ｐ２および２つの陰極側電極２ｎ１，２ｎ２を有している。測定装置１は、陽極側電極２ｐおよび陰極側電極２ｎがそれぞれ取り付けられた電極取り付け部３を備えている。電極取り付け部３は、測定対象である魚に対向する所定の対向面Ｐを有し、当該対向面Ｐから外方に向けて突出するように陽極側電極２ｐおよび陰極側電極２ｎがそれぞれ取り付けられる。
【００２２】
さらに、測定装置１は、電極取り付け部３の対向面Ｐとは反対側に延出された把持部４を備えている。把持部４には操作入力部８が設けられる。操作入力部８には、電源ボタン１０、魚種を選択するための選択ボタン１１および選択ボタン１１で選択した魚種に決定するための決定ボタン１２を有する。
【００２３】
把持部４の電極取り付け部３が設けられた端部とは反対側の端部には幅広部６が設けられる。幅広部６には測定結果を表示する表示面Ｓ７を有する表示部７が設けられる。把持部４の電極取り付け部３とは反対側の幅広部６に表示部７が設けられるため、測定の際、把持部４を把持した状態でも把持部４より上部に表示部７が位置する。したがって、測定時において見易い位置に表示部７を設けることができる。表示部７は、表示面Ｓ７の下方に設けられ、測定を開始するための測定開始ボタン９を有する。
【００２４】
測定装置１の内部には、例えば定電流回路や電圧検出回路等により構成されるインピーダンス測定部、マイクロコントローラ等の演算部、メモリ等の記憶部、通信部、および電源部等（図示せず）が収納されている。
【００２５】
測定装置１における魚の品質指標測定方法について説明する。まず、電源ボタン１０を押し、電源を投入してから魚種選択ボタン１１を適宜押圧操作することにより、所望の魚種を選択し、当該選択状態で決定ボタン１２を押すことにより測定する魚種が決定される。そして、把持部４を把持して魚に電極２ｐ，２ｎを接触させ、測定開始ボタン９を押すと、測定装置１は、一の陽極側電極２ｐ１と一の陰極側電極２ｎ１との間（電流極間）に所定の定電流を流し、他の陽極側電極２ｐ２および他の陰極側電極２ｎ２との間（電圧極間）に印加される電圧を検出する。電流極間に流れる定電流は、決定された魚種に応じて設定され得る。
【００２６】
測定装置１は、検出された電圧から電極間のインピーダンスを算出し、インピーダンスに基づく品質指標の値を算出する。魚の品質指標には、例えば、鮮度を示すＫ値、魚身の脂肪量や脂肪率、冷凍履歴および身やけなどの肉質の軟化が含まれる。算出された品質指標は、表示部７に表示されるとともに、記憶部に記憶される。なお、品質指標の算出後は、電極２ｐ，２ｎを魚から離しても直前に算出された品質指標の表示部７における表示を維持することとしてもよい。インピーダンスから品質指標を算出する際に用いられる各パラメータの値は、決定された魚種に応じて設定され得る。
【００２７】
ここで、把持部４は、把持部４の延出方向Ｚに垂直な断面Ｓ４の面積が当該断面Ｓ４に平行な電極取り付け部３の断面Ｓ３の面積より小さくなるように形成されている。把持部４は、片手で握るように把持可能に形成される。把持部４は片手で握り易い形状、太さを有する。
【００２８】
上記構成によれば、把持部４に対して電極取り付け部３が太く形成されるため、把持部４を把持して電極２ｐ，２ｎを魚に当接させた場合に、把持部４を把持した手の力を電極取り付け部３の対向面Ｐを測定対象の魚へ向けて押す力として用いることができる。このため、把持部４を片手で握った場合であっても、電極２ｐ，２ｎの魚への接触性を高めることができる。
【００２９】
本実施の形態において、電極取り付け部３は、陽極側電極２ｐおよび陰極側電極２ｎが直線状に配列される。すなわち、４つの電極２ｐ，２ｎは、電極取り付け部３の対向面Ｐ上に直線Ｙ方向（配列方向Ｙ）に沿って取り付けられる。電極取り付け部３の外部形状は、４つの電極２ｐ，２ｎの配列方向Ｙに沿った幅Ｙ３が把持部４の配列方向Ｙに沿った幅Ｙ４より大きいように形成される。本実施の形態において、測定装置１は、左右対称の外形を有し、電極取り付け部３は把持部４に対して電極２ｐ，２ｎの配列方向Ｙの両側に張り出している。
【００３０】
より具体的には、把持部４の外側面４ａと、電極取り付け部３の外側面３ａとを接続する接続面５を備えている。測定装置１は、この接続面５が把持部４を把持した手により押圧されることで電極取り付け部３の対向面Ｐに設けられた電極２ｐ，２ｎが魚に接触するように構成される。接続面５に把持部４を把持した手が接触することにより、把持部４を把持した手の力を電極取り付け部３に有効に作用させることができる。具体的には、把持部４を片手で握るように把持した状態で測定対象の魚に電極２ｐ，２ｎを押し当てると、電極２ｐ，２ｎが魚に当接することによる反力によって把持部４を把持した手の下側部分（接続面５に対向する部分）が接続面５に当接し、把持部４を把持した手の力が当該接続面５を介して各電極２ｐ，２ｎに略均等に加えられる。
【００３１】
このため、対向面Ｐに取り付けられた電極２ｐ，２ｎのうち、配列方向Ｙの両端部にある電極２ｐ，２ｎにも把持部４を把持した手の力を有効に及ぼすことができる。これにより、陽極側電極２ｐおよび陰極側電極２ｎの何れか一方のみが魚に接触し、他方が魚に接触しない状態を生じ難くすることができる。したがって、複数の電極２ｐ，２ｎに対して偏った力が作用することを防止しつつ均等に電極２ｐ，２ｎを魚に押し当てることができる。
【００３２】
さらに、接続面５は、電極取り付け部３と把持部４との間において側面の全周にわたって設けられる。すなわち、電極取り付け部３の配列方向Ｙに沿った幅Ｙ３が把持部４の配列方向Ｙに沿った幅Ｙ４より大きいだけでなく、電極取り付け部３の前後方向Ｘに沿った幅も把持部４の前後方向Ｘに沿った幅より大きいように形成される。これにより、把持部４を握るように把持した手の下端部が接続面５に接触する面積を大きくし、より安定的かつより均等に電極２ｐ，２ｎを魚に押し当てることができる。
【００３３】
図１に示すように、幅広部６は、把持部４の延出方向Ｚに垂直な断面Ｓ４の面積より大きい面積の断面（後述する曲折方向Ｚ２に垂直な断面）Ｓ６を有する。幅広部６の断面Ｓ６の面積は、把持部４の断面Ｓ４の面積と略同じとなるように構成されている。すなわち、図２に示すように、電極取り付け部３の配列方向Ｙに沿った幅Ｙ３と幅広部６の配列方向Ｙに沿った幅Ｙ６とが略同じ幅となるように構成される。このように、把持部４の延出方向Ｚ両側（上端および下端）が把持部４より太く形成されるため、把持部４を把持した際に、測定装置１を持ち運ぶ場合等において誤って落下させることを防止することができる。
【００３４】
測定装置１は、少なくとも電極取り付け部３、把持部４および接続面５が一体的に形成される。これにより、電極取り付け部３と把持部４との間に接続面５を有する構造を容易に形成することができる。本実施の形態においては、電極取り付け部３、把持部４、接続面５および幅広部６が一体的に形成される。
【００３５】
表示部７は、表示面Ｓ７が把持部４に対して後傾するように、把持部４に対して曲折するように設けられる。本実施の形態において、表示部７を含む幅広部６全体が把持部４に対して曲折して設けられる。図４に示すように、本実施の形態における測定装置１は、地面Ｇに載置された例えばマグロ等の魚Ｆに対して傾斜した状態で電極２ｐ，２ｎを魚Ｆに接触させて計測することが想定されている。測定時における測定装置１（把持部４の延出方向Ｚ）の地面Ｇに対する傾斜角度θ１は例えば４５度である。この際、測定者は片手で把持部４を親指が上を向いた状態で握るように把持する。測定者は、中腰またはしゃがんだ姿勢となる。なお、表示部７における品質指標等の表示内容は、電極２ｐ，２ｎが下側となる向きに表示される。
【００３６】
このように、市場等において測定する場合には、地面に置かれた魚に対して測定者が中腰またはしゃがんだ状態で測定装置１の電極を魚に押し当てる必要がある場合が多い。この際、把持部の延出方向に沿って表示部の表示面が設けられるような従来の構成では、測定装置の電極を魚に押し当てつつ表示部に表示された測定値を読み取るのが難しい場合があった。
【００３７】
そこで、本実施の形態においては、測定時において表示部を見易くすることができる魚の状態指標測定装置を提供するために、上記のように、表示部７が、表示面Ｓ７が把持部４に対して後傾するように、把持部４に対して曲折するように設けられる。測定装置１がこのような構造を有することにより、地面Ｇに対して測定装置１（把持部４の延出方向Ｚ）を傾斜角度θ１だけ後傾させた場合に、表示部７の表示面Ｓ７が見易い角度となる。したがって、測定時において表示部７を見易くすることができる。本実施の形態においては、表示部７が設けられる幅広部６全体が把持部４の延出方向Ｚに対して曲折されている（曲折方向Ｚ２に沿うように形成されている）。
【００３８】
なお、測定時において表示部７を見易くするという効果を得るための構成としては、表示部７は、表示面Ｓ７が把持部４に対して後傾するように、把持部４に対して曲折するように設けられていればよく、把持部４が、把持部４の延出方向Ｚに垂直な断面Ｓ４の面積が当該断面Ｓ４に平行な電極取り付け部３の断面Ｓ３の面積より小さくなるように形成されていなくてもよい。
【００３９】
表示部７の表示面Ｓ７の把持部４に対する後傾角度θ２は例えば０°＜θ２≦４５°の範囲に設定される。後傾角度θ２は例えば１０度に設定される。
【００４０】
さらに、上述したように、表示部７は、表示面Ｓ７の下方に測定開始ボタン９を有している。表示部７において測定開始ボタン９が設けられる箇所も把持部４の延出方向Ｚに対して傾斜した位置に設けられる。したがって、把持部４を片手で握るように把持した際に、親指で操作しやすい位置に測定開始ボタン９が配置される。このため、測定装置１の魚への押し当て動作に引き続いて測定開始ボタン９の押圧操作を行うことを容易に行うことができる。したがって、安定的かつ迅速に測定を行うことができる。
【００４１】
なお、測定開始ボタン９は他のボタン１０〜１２に比べてクリック感のあるボタンが好ましい。他のボタン１０〜１２はスイッチ部の表面にフィルム状の押圧部を形成して構成される。これにより防水性を容易かつ安価に形成可能である。これに対して、測定開始ボタン９は剛性を有する押圧部を備えている。これにより、手袋を装着した測定者が使用する際でも操作感を向上させることができる。さらに、測定開始ボタン９は、スイッチ部内部にパッキンやシール等を設けることにより外部から電気回路部へ水分の侵入を遮断するように構成される。これにより、防水性が確保される。したがって、使用頻度の高い測定開始ボタン９について防水性を確保しつつ操作感を高めることができる。
【００４２】
測定装置１は、全体の重心位置が、測定装置１全体の長さ方向中央部Ｃより電極取り付け部３側に位置するように構成される。本実施の形態では、把持部４内部の電極取り付け部３寄りの部分にバッテリを格納する電源部（図３等に示されるバッテリ格納部カバー１８の内部）が設けられる。測定装置１に占める重量の割合が大きいバッテリが電極取り付け部３に近い位置に格納されることにより、測定装置１全体の重心が電極取り付け部３側に位置する。これにより測定時の姿勢を安定化させることができる。また、測定装置１を誤って落下させた場合でも、電極取り付け部３側から落下するため、表示部７を傷付けたり破損させたりすることを防止することができる。さらに、本実施の形態では、表示部７の表示面Ｓ７が把持部４に対して後傾するように曲折されているため、測定装置１が電極取り付け部３側から落下し、電極取り付け部３が地面に衝突した後、測定装置１が何れかの向きに倒れても、表示面Ｓ７が地面に接触することを防止することができる。
【００４３】
電極２ｐ，２ｎは、それぞれ、外部から電極取り付け部３に装着可能に構成される。すなわち、電極２ｐ，２ｎは、それぞれ、電極取り付け部３（または測定装置１全体）を分解することなく取り外し可能に構成される。例えば、電極取り付け部３の電極取り付け箇所には、ボルト等のねじ受け構造が形成され、電極２ｐ，２ｎは、それぞれ、基端部にねじ構造が形成されてもよい。反対に、電極取り付け部３にねじ構造が形成され、電極２ｐ，２ｎのそれぞれにねじ受け構造が形成されてもよい。ねじ構造以外の取り付け構造を有していてもよい。
【００４４】
このように、電極２ｐ，２ｎを電極取り付け部３に対して着脱可能とすることにより、測定装置１を誤って落下させた場合に、電極取り付け部３に取り付けられた電極２ｐ，２ｎが万が一変形または破損しても、容易に交換することができる。
【００４５】
なお、測定装置１は、上記のような形状を備えた上で、全体として衣服のポケット等に入れやすい形状およびサイズを有していてもよい。
【００４６】
本実施の形態において、電極取り付け部３は、図５〜図８に示すように、対向面Ｐに取り付けられた電極２ｐ，２ｎにそれぞれ導通可能な同じ数の電極１３ｐ，１３ｎが取り付けられた電極アタッチメント１４を着脱可能に構成されている。陽極側電極１３ｐは、電流極となる電極１３ｐ１および電圧極となる電極１３ｐ２を有し、陰極側電極１３ｎも、電流極となる電極１３ｎ１および電圧極となる電極１３ｎ２を有している。電極アタッチメント１４に取り付けられた電極１３ｐ，１３ｎ間の距離Ｌ１３は、電極取り付け部３の対向面Ｐに取り付けられた電極２ｐ，２ｎ間の距離Ｌ２と異なるように構成されている。
【００４７】
測定装置１において、魚の大きさに応じて電極間距離を変化させることが測定精度の向上のためには有効である。従来の構成においては、電極間距離を可変する構造が提案されているが、このような構造とすると、電極間距離を可変とするための可動部の防水性を確保することが難しかったり、可動部の耐久性が低くなったりするといった問題が生じ得る。
【００４８】
そこで、本実施の形態においては、防水性または耐久性を高めることができる魚の状態指標測定装置を提供するために、上記のような、電極取り付け部３に取り付けられた電極２ｐ，２ｎ間の距離Ｌ２と異なる電極間距離Ｌ１３を有する電極１３ｐ，１３ｎを備えた電極アタッチメント１４を電極取り付け部３に着脱可能に構成されている。これにより、可動部を設けることなく電極間距離を変化させることができるため、様々な大きさまたは形状の魚に対して有効な測定を行いつつ、防水性または耐久性を高めることができる。
【００４９】
図９に示すように、電極アタッチメント１４を装着していない場合（図９（ａ））と、電極アタッチメント１４を装着した場合（図９（ｂ））とでは、陽極側電極および陰極側電極の間の距離が異なる。陽極側電極および陰極側電極の間の距離が変わると、電極に定電流を流した際に、魚に当該定電流が魚に流れる深さ（電極の接触位置を基準とする魚の厚み方向の距離）Ｄが変化する。例えば電極間距離Ｌは定電流が魚に流れる深さＤに略等しくなる場合がある。この場合、図９（ａ）に示すように、Ｌ２＝Ｄ２となり、図９（ｂ）に示すように、Ｌ１３＝Ｄ１３となる。本実施の形態において、Ｌ２＞Ｌ１３であるから、Ｄ２＞Ｄ１３となる。このように、陽極側電極および陰極側電極の間の距離が大きくなるほど電極の接触位置から離れた（深い）位置に定電流が流れることとなる。これにより、魚の種類または大きさなどに応じて陽極側電極および陰極側電極の間の距離を変化させて測定することにより、より高精度な鮮度の判定を行うことができる。また、同じ魚でもインピーダンスを測定するために定電流を流す深さを所望の位置とすることができ、魚の所望の部位における品質指標を算出することができる。
【００５０】
なお、防水性または耐久性を高めるという効果を得るための構成としては、上記電極アタッチメント１４を電極取り付け部３に着脱可能に構成されていればよく、把持部４が、把持部４の延出方向Ｚに垂直な断面Ｓ４の面積が当該断面Ｓ４に平行な電極取り付け部３の断面Ｓ３の面積より小さくなるように形成されていなくてもよいし、表示部７が、表示面Ｓ７が把持部４に対して後傾するように、把持部４に対して曲折していなくてもよい。
【００５１】
本実施の形態においては、図５に示すように、電極取り付け部３の両側面に嵌合受け部１５が形成されるとともに、電極アタッチメント１４の上部両側に嵌合部１６が形成される。電極アタッチメント１４の嵌合部１６が電極取り付け部３の嵌合受け部１５に嵌合することにより、図６および図７に示すように、電極アタッチメント１４を電極取り付け部３に装着することができる。本実施の形態では、電極取り付け部３に電極アタッチメント１４を着脱可能とする構成として、弾性を有する爪部材を用いた嵌着構造が例示されるが、これに限られず、例えば、ねじ止め、クランプ構造等、種々の着脱構造を採用可能である。
【００５２】
また、図８に示すように、電極アタッチメント１４の内部には、電極取り付け部３との装着状態において電極取り付け部３の電極２ｐ，２ｎに対応する箇所と、当該電極２ｐ，２ｎにそれぞれ対応する電極アタッチメント１４の電極１３ｐ，１３ｎとを電気的に接続するための導電部材１７が設けられる。導電部材１７は、基端部が電極アタッチメント１４の内部底面に取り付けられた電極１３ｐ，１３ｎに接続され、先端部に向かうに従って斜め上方に延び、弾性を有する板状の導電部を含んでいる。電極アタッチメント１４が電極取り付け部３に装着された際に、電極取り付け部３の電極２ｐ，２ｎにより導電部材１７の先端部が押し込まれた状態となる。このため、導電部材１７の弾性力により電極取り付け部３の電極２ｐ，２ｎと電極アタッチメント１４の電極１３ｐ，１３ｎとの電気的接続を確実にすることができる。
【００５３】
導電部材１７の配置を容易にするため、本実施の形態においては、電極取り付け部３の電極２ｐ，２ｎにおける前後方向（配列方向Ｙおよび把持部４の延出方向Ｚに直交する方向）Ｘの位置と、電極アタッチメント１４の電極１３ｐ，１３ｎにおける前後方向Ｘの位置とが互いに異なる位置に配置される。具体的には、電極取り付け部３の電極２ｐ，２ｎは、前後方向Ｘの中央部より前方（表示面Ｓ７が設けられる側）にオフセットした位置に配置される。一方、電極アタッチメント１４の電極１３ｐ，１３ｎは、前後方向Ｘの略中央部に配置される。なお、これに代えて、電極アタッチメント１４の電極１３ｐ，１３ｎを前後方向Ｘの中央部より前方または後方にオフセットさせて配置し、電極取り付け部３の電極２ｐ，２ｎを前後方向Ｘの略中央部に配置または中央部より後方にオフセットさせて配置してもよい。
【００５４】
以上、本発明の実施の形態について説明したが、本発明は上記実施の形態に限定されるものではなく、その趣旨を逸脱しない範囲内で種々の改良、変更、修正が可能である。例えば、電極部を２つの電極で構成し、当該２つの電極が電流極と電圧極とを兼ねるように構成してもよいし、４つの電流極と４つの電圧極との組合せなど、電流極および電圧極をそれぞれ３つ以上備え、計測時に使用する電極を適宜選択することとしてもよい。
【００５５】
また、上記実施の形態において、測定装置１の形状は、左右対称となっているが、これに限られない。特に、電極取り付け部３は、電極の配列方向Ｙに関して把持部４の何れか一方の側面のみから張り出したような形状（把持部４および電極取り付け部３の形状が全体として略Ｌ字形状）を有していてもよい。また、上記実施の形態においては、電極取り付け部３の配列方向Ｙに沿った幅Ｙ３と幅広部６の配列方向Ｙに沿った幅Ｙ６とが略同じ幅を有しているが、これに限られず、互いに異なる幅を有していてもよい。
【００５６】
また、上記実施の形態において、表示部７は幅広部６に設けられているが、これに限られない。例えば、電極取り付け部３に表示部７を設けてもよい。この場合、幅広部６は設けなくてもよい。また、表示部７における品質指標等の表示内容は、電極２ｐ，２ｎが上側となる向きに表示されてもよい。
【００５７】
また、上記実施の形態において、被測定体を魚として、当該魚のインピーダンスを測定するとともに、測定結果に基づいて、魚の品質状態を判定したが、他の動物のインピーダンスを計測するのに用いてもよい。例えば、被測定体を犬として、当該犬のインピーダンスを測定するとともに、測定結果に基づいて、犬の体脂肪率等を測定してもよい。
【００５８】
図１０Ａ乃至図１０Ｈは、図１に示す魚の品質指標測定装置（魚用品質指標測定装置）のある態様を例示する図であり、図１０Ａは正面図、図１０Ｂは背面図、図１０Ｃは平面図、図１０Ｄは底面図、図１０Ｅは左側面図、図１０Ｆは右側面図、図１０Ｇは斜視図、及び図１０Ｈは参考正面図である。図１０Ｇに表された細線は、立体表面の形状を表す線である。図１０Ｈにおいて薄墨を付した表示窓は透明であり、表示窓の内側に設けられている液晶表示部を視認することができるようになっている。
【００５９】
図１１〜図１３は、上述した本発明の他の実施形態の一例を示した概略図である。
【００６０】
図１１のＡ１，Ａ２に示されるインピーダンス測定装置１Ｒは、本体３０Ｒと、被測定体のインピーダンスを測定するための測定部である電極体Ｒｐ１，Ｒｐ２，Ｒｎ１，Ｒｎ２とを備え、本体３０Ｒは、持ち手部４Ｒと、測定時に被測定体と対向する第１端面ＲＢとを有し、持ち手部４Ｒは、測定者の一方の手で握り締められる握り部位４Ｒａを有し、測定部である電極体Ｒｐ１，Ｒｐ２，Ｒｎ１，Ｒｎ２は、第１端面ＲＢに設けられている。
【００６１】
また、持ち手部４Ｒは、第１端面ＲＢの反対側に位置する本体の第２端面ＲＥに設けられ、握り部位４Ｒａは、第１端面ＲＢの長手方向に細長い形状に形成されている。
【００６２】
上記構成によれば、測定者は、被測定体のインピーダンスを測定するとき、一方の手で握り部位４Ｒａを握り締めて、本体３０Ｒを保持するため、測定の際に本体が不安定に横揺れするなどの挙動を抑えることができる。これにより、被測定体に電極体Ｒｐ１，Ｒｐ２，Ｒｎ１，Ｒｎ２を容易かつ適切に押し当てて、正確な測定を迅速に行うことができる。
【００６３】
図１１のＢ１，Ｂ２に示されるインピーダンス測定装置１Ｓは、本体３０Ｓと、被測定体のインピーダンスを測定するための測定部である電極体Ｓｐ１，Ｓｐ２，Ｓｎ１，Ｓｎ２とを備え、本体３０Ｓは、持ち手部４Ｓと、測定時に被測定体と対向する第１端面ＳＢとを有し、持ち手部４Ｓは、測定者の一方の手で握り締められる握り部位４Ｓａを有し、測定部である電極体Ｓｐ１，Ｓｐ２，Ｓｎ１，Ｓｎ２は、第１端面ＳＢに設けられている。
【００６４】
また、持ち手部４Ｓは、第１端面ＳＢの反対側に位置する本体の第２端面ＳＥに設けられ、握り部位４Ｓａは、第１端面ＳＢの長手方向に細長い形状に形成されている。
【００６５】
上記構成によれば、測定者は、被測定体のインピーダンスを測定するとき、一方の手で握り部位４Ｓａを握り締めて、本体３０Ｓを保持するため、測定の際に本体が不安定に横揺れするなどの挙動を抑えることができる。これにより、被測定体に電極体Ｓｐ１，Ｓｐ２，Ｓｎ１，Ｓｎ２を容易かつ適切に押し当てて、正確な測定を迅速に行うことができる。
【００６６】
図１２のＡ１，Ａ２に示されるインピーダンス測定装置１Ｔは、本体３０Ｔと、被測定体のインピーダンスを測定するための測定部である電極体Ｔｐ１，Ｔｐ２，Ｔｎ１，Ｔｎ２とを備え、本体３０Ｔは、持ち手部４Ｔと、測定時に被測定体と対向する第１端面ＴＢとを有し、持ち手部４Ｔは、測定者の一方の手で握り締められる握り部位４Ｔａを有し、測定部である電極体Ｔｐ１，Ｔｐ２，Ｔｎ１，Ｔｎ２は、第１端面ＴＢに設けられている。
【００６７】
また、持ち手部４Ｔは、第１端面ＴＢの反対側に位置する本体の第２端面ＴＥおよび当該第１端面ＴＢを除く本体の外周面の内、第１端面ＴＢの短辺を有する外周面ＴＳに設けられ、握り部位４Ｔａは、第１端面ＴＢに対して直交する方向に細長い形状に形成されている。
【００６８】
上記構成によれば、測定者は、被測定体のインピーダンスを測定するとき、一方の手で握り部位４Ｔａを握り締めて、本体３０Ｔを保持するため、測定の際に本体が不安定に横揺れするなどの挙動を抑えることができる。これにより、被測定体に電極体Ｔｐ１，Ｔｐ２，Ｔｎ１，Ｔｎ２を容易かつ適切に押し当てて、正確な測定を迅速に行うことができる。
【００６９】
図１２のＢ１，Ｂ２に示されるインピーダンス測定装置１Ｕは、本体３０Ｕと、被測定体のインピーダンスを測定するための測定部である電極体Ｕｐ１，Ｕｐ２，Ｕｎ１，Ｕｎ２とを備え、本体３０Ｕは、持ち手部４Ｕと、測定時に被測定体と対向する第１端面ＵＢとを有し、持ち手部４Ｕは、測定者の一方の手で握り締められる握り部位４Ｕａを有し、測定部である電極体Ｕｐ１，Ｕｐ２，Ｕｎ１，Ｕｎ２は、第１端面ＵＢに設けられている。
【００７０】
また、持ち手部４Ｕは、第１端面ＵＢの反対側に位置する本体の第２端面ＵＥおよび当該第１端面ＵＢを除く本体の外周面の内、第１端面ＵＢの長辺を有する外周面ＵＦに設けられ、握り部位４Ｕａは、第１端面ＵＢに対して平行な方向に細長い形状に形成されている。
【００７１】
上記構成によれば、測定者は、被測定体のインピーダンスを測定するとき、一方の手で握り部位４Ｕａを握り締めて、本体３０Ｕを保持するため、測定の際に本体が不安定に横揺れするなどの挙動を抑えることができる。これにより、被測定体に電極体Ｕｐ１，Ｕｐ２，Ｕｎ１，Ｕｎ２を容易かつ適切に押し当てて、正確な測定を迅速に行うことができる。
【００７２】
図１３のＡ１，Ａ２に示されるインピーダンス測定装置１Ｖは、本体３０Ｖと、被測定体のインピーダンスを測定するための測定部である電極体Ｖｐ１，Ｖｐ２，Ｖｎ１，Ｖｎ２とを備え、本体３０Ｖは、持ち手部４Ｖと、測定時に被測定体と対向する第１端面ＶＢとを有し、持ち手部４Ｖは、測定者の一方の手で握り締められる握り部位４Ｖａを有し、測定部である電極体Ｖｐ１，Ｖｐ２，Ｖｎ１，Ｖｎ２は、第１端面ＶＢに設けられている。
【００７３】
また、本体３０Ｖは、第１端面ＶＢを有する第１部分３０Ｖ１と、第１端面ＶＢの反対側に位置する本体Ｖの第２端面ＶＥを有する第２部分３０Ｖ２と、第１部分３０Ｖ１と第２部分３０Ｖ２との間に位置する中間部分３０Ｖ３とから構成され、中間部分３０Ｖ３は、第１端面ＶＢの長手方向において第１部分３０Ｖ１および第２部分３０Ｖ２より短い寸法に形成されるとともに、第１端面ＶＢと直交する方向において細長い形状に形成され、中間部分３０Ｖ３は、持ち手部４Ｖおよび握り部位４Ｖａとして用いられる。
【００７４】
上記構成によれば、測定者は、被測定体のインピーダンスを測定するとき、一方の手で握り部位４Ｖａを握り締めて、本体３０Ｖを保持するため、測定の際に本体が不安定に横揺れするなどの挙動を抑えることができる。これにより、被測定体に電極体Ｖｐ１，Ｖｐ２，Ｖｎ１，Ｖｎ２を容易かつ適切に押し当てて、正確な測定を迅速に行うことができる。
【００７５】
図１３のＢ１，Ｂ２に示されるインピーダンス測定装置１Ｗは、本体３０Ｗと、被測定体のインピーダンスを測定するための測定部である電極体Ｗｐ１，Ｗｐ２，Ｗｎ１，Ｗｎ２とを備え、本体３０Ｗは、持ち手部４Ｗと、測定時に被測定体と対向する第１端面ＷＢとを有し、持ち手部４Ｗは、測定者の一方の手で握り締められる握り部位４Ｗａを有し、測定部である電極体Ｗｐ１，Ｗｐ２，Ｗｎ１，Ｗｎ２は、第１端面ＷＢに設けられている。
【００７６】
また、本体３０Ｗは、第１端面ＷＢを有する一端側部分３０Ｗ１と、第１端面ＷＢの反対側に位置する本体３０Ｗの第２端面ＷＥを有する他端側部分３０Ｗ２とから構成され、他端側部分３０Ｗ２は、第１端面ＷＢの長手方向において一端側部分３０Ｗ１より短い寸法に形成されるとともに、第１端面ＷＢと直交する方向において細長い形状に形成され、他端側部分３０Ｗ２は、持ち手部４Ｗおよび握り部位４Ｗａとして用いられる。
【００７７】
上記構成によれば、測定者は、被測定体のインピーダンスを測定するとき、一方の手で握り部位４Ｗａを握り締めて、本体３０Ｗを保持するため、測定の際に本体が不安定に横揺れするなどの挙動を抑えることができる。これにより、被測定体に電極体Ｗｐ１，Ｗｐ２，Ｗｎ１，Ｗｎ２を容易かつ適切に押し当てて、正確な測定を迅速に行うことができる。
【００７８】
図１１〜図１３に示される各インピーダンス測定装置の測定部は、少なくとも１つの陽極側電極（ｐ電極）および少なくとも１つの陰極側電極（ｎ電極）を有し、少なくとも１つの陽極側電極および少なくとも１つの陰極側電極は、各第１端面から外方に向けて突出するとともに、各第１端面の長手方向に沿って配設される。
【００７９】
上記構成によれば、被測定体と対向する第１端面の長手方向と、陽極側電極および陰極側電極の配設方向とが同一方向であるため、各握り部位を握りしめた測定者の手の力を、各電極に均等に負荷することができる。これにより、被測定体に電極体を適切に押し当てて、正確な測定を行うことができる。
【００８０】
図１１〜図１３に示される各インピーダンス測定装置の本体は、測定に係る操作部（図示省略）をさらに有し、操作部は、握り部位近傍に設けられるのが好ましい。
【００８１】
このような構成にすることにより、測定者は、被測定体に電極体を適切に押し当てた状態で、測定に係る操作を行うことができるため、測定の際に本体部が不安定に横揺れするなどの挙動を抑えることができる。
【００８２】
図１１〜図１３に示される各インピーダンス測定装置の本体の重心位置は、各第１端面側に位置するように構成されているのが好ましい。
【００８３】
このような構成にすることにより、測定時において、本体の重心位置が、被測定体側に位置するため、測定の際に本体を容易に安定させることができる。
【００８４】
図１３のＡ１，Ａ２に示されるインピーダンス測定装置１Ｖの第２部分３０Ｖ２は、中間部分３０Ｖ３に対して所定角度傾倒（図示省略）し、測定の状況を表示する表示部（図示省略）が、第２部分３０Ｖ２の傾斜面に設けられているのが好ましい。
【００８５】
このような構成にすることにより、測定時において、表示部に表示される測定状況が、測定者から見やすくなるため、被測定体に電極体を適切に押し当てた状態を維持することができる。
【００８６】
図１３のＢ１，Ｂ２に示されるインピーダンス測定装置１Ｗにおいて、測定の状況を表示する表示部（図示省略）が、一端側部分３０Ｗ１に設けられているのが好ましい。
【００８７】
このような構成にすることにより、測定時において、表示部に表示される測定状況が、測定者から見やすくなるため、被測定体に電極体を適切に押し当てた状態を維持することができる。
【符号の説明】
【００８８】
１  測定装置
２ｐ，２ｐ１，２ｐ２  陽極側電極
２ｎ，２ｎ１，２ｎ２  陰極側電極
３  電極取り付け部
４  把持部
５  接続面
６  幅広部
７  表示部
９  測定開始ボタン
１３ｐ，１３ｐ１，１３ｐ２  電極アタッチメントの陽極側電極
１３ｎ，１３ｎ１，１３ｎ２  電極アタッチメントの陰極側電極
１４  電極アタッチメント
Ｐ  対向面
【図１】
0006497892.tif 000002
【図２】
0006497892.tif 000003
【図３】
0006497892.tif 000004
【図４】
0006497892.tif 000005
【図５】
0006497892.tif 000006
【図６】
0006497892.tif 000007
【図７】
0006497892.tif 000008
【図８】
0006497892.tif 000009
【図９】
0006497892.tif 000010
【図１０Ａ】
0006497892.tif 000011
【図１０Ｂ】
0006497892.tif 000012
【図１０Ｃ】
0006497892.tif 000013
【図１０Ｄ】
0006497892.tif 000014
【図１０Ｅ】
0006497892.tif 000015
【図１０Ｆ】
0006497892.tif 000016
【図１０Ｇ】
0006497892.tif 000017
【図１０Ｈ】
0006497892.tif 000018
【図１１】
0006497892.tif 000019
【図１２】
0006497892.tif 000020
【図１３】
0006497892.tif 000021